(57)【要約】【課題】２つの印刷ヘッドにより両面印刷を行う両面印刷装置において、部品点数を増加させることなく、簡易な構成にて記録媒体に対して両面印刷を可能とする。【解決手段】記録媒体が搬送される搬送路２２の第１面側において、第１シリアルヘッド３１１と第１シャフト３１３とを第１印刷ヘッドキャリア３１２によりも搬送路に近づけて配置し、同様に搬送路２２の第２面側において、第２シリアルヘッド３２１と第２シャフト３２３とが第２印刷ヘッドキャリア３２２によりも搬送路２２に近づけて配置する。【選択図】図２
2011161745.tif 000002
【特許請求の範囲】
【請求項１】
搬送路に沿って記録媒体を搬送する媒体搬送部と、
前記搬送路の第１面側に配置され、前記記録媒体に印刷する第１印刷ヘッドと、前記第１印刷ヘッドを前記記録媒体の搬送方向と直交する方向に移動させる第１印刷ヘッドキャリアと、前記第１印刷ヘッドキャリアを支持する第１支持部とを有する第１面側印刷部と、
前記第１面側とは前記搬送路を挟んで反対側に位置する前記搬送路の第２面側に配置され、前記記録媒体に印刷する第２印刷ヘッドと、前記第２印刷ヘッドを前記記録媒体の搬送方向と直交する方向に移動させる第２印刷ヘッドキャリアと、前記第２印刷ヘッドキャリアとを支持する第２支持部とを有する第２面側印刷部と、
を備え、
前記第１支持部は前記搬送路を挟んで前記第２印刷ヘッドと対向して配置され、
前記第２支持部は前記搬送路を挟んで前記第１印刷ヘッドと対向して配置されることを特徴とする両面印刷装置。
【請求項２】
前記第１印刷ヘッドキャリア及び前記第２印刷ヘッドキャリアに掛け渡されて形成され、この第１印刷ヘッドキャリア及び第２印刷ヘッドキャリアを前記搬送方向と直交する方向において移動させる印刷ヘッド移動部と、
この印刷ヘッド移動部を移動させるための駆動力を与える駆動部と、
をさらに備えることを特徴とする請求項１記載の両面印刷装置。
【請求項３】
前記第１支持部または前記第２支持部の少なくともいずれか一方は、対向する印刷ヘッド側に緩衝部材を有することを特徴とする請求項１乃至請求項２記載の両面印刷装置。
【請求項４】
前記緩衝部材は合成樹脂からなることを特徴とする請求項３記載の両面印刷装置。
【発明の詳細な説明】
【技術分野】
【０００１】
本発明は、２つの印字ヘッドにて記録媒体に対して両面印刷を行う印刷装置に関する。
【背景技術】
【０００２】
従来、２つの印刷ヘッドにより両面印刷を行う両面印刷装置が知られている。この両面印刷装置は、両面印刷を行うために搬送路を挟んで対の印刷ヘッドが対向配置されている。両面印刷を行う場合、媒体搬送部により印刷ヘッドが配置されている位置へと記録紙等の記録媒体を搬送する。印刷ヘッドが配置されている位置に記録媒体が搬送されるとこの記録媒体の表面と裏面のそれぞれに印刷を行う。
【０００３】
これらの印刷ヘッドには、搬送方向と直交する方向に移動して印字を行うシリアルヘッドがあることが知られている。このシリアルヘッドを前記記録媒体の搬送方向に直交する幅方向において移動させる方法の一つとして、印刷ヘッドを移動させるために設けられた駆動モータの駆動軸に一体に連結された駆動プーリと、この駆動プーリの回転に従って回動する従動プーリと、これら各プーリに順に掛け渡されたベルトとによって駆動機構が構成されているものがある。そして、当該ベルトには、印刷ヘッドを搬送路の幅方向に移動させる印刷ヘッドキャリアが取り付けられている。この駆動機構は記録媒体の表面印字用と裏面印字用にそれぞれ設けられている。そして、印刷ヘッドキャリアを介して１つの駆動モータにて２つの印刷ヘッドを移動させるものが知られている（例えば、特許文献１）。
【発明の概要】
【発明が解決しようとする課題】
【０００４】
上記の構成を備えた両面印刷装置は、１つの駆動モータにて２つの印刷ヘッドを同時に移動させることが可能となるものの、この駆動機構の実現には表面印字用、裏面印字用にそれぞれ駆動モータ及び駆動プーリ、従動プーリ及び印刷ヘッド移動用のベルトを備える必要がある。さらには各々の印刷ヘッドに対応してプラテン部材を複数設ける必要がある。このため、部品点数が増加し、簡易な構成にて両面印刷装置を提供することができないという問題がある。
【０００５】
本発明は、上記の問題点に鑑みてなされたものであって、より簡易な構成にて両面印刷を行うことができる両面印刷装置を提供することを目的とする。
【課題を解決するための手段】
【０００６】
搬送路に沿って記録媒体を搬送する媒体搬送部と、前記搬送路の第１面側に配置され、前記記録媒体に印刷する第１印刷ヘッドと、前記第１印刷ヘッドを前記記録媒体の搬送方向と直交する方向に移動させる第１印刷ヘッドキャリアと、前記第１印刷ヘッドキャリアを支持する第１支持部とを有する第１面側印刷部と、前記第１面側とは前記搬送路を挟んで反対側に位置する前記搬送路の第２面側に配置され、前記記録媒体に印刷する第２印刷ヘッドと、前記第２印刷ヘッドを前記記録媒体の搬送方向と直交する方向に移動させる第２印刷ヘッドキャリアと、前記第２印刷ヘッドキャリアとを支持する第２支持部とを有する第２面側印刷部と、を備え、前記第１支持部は前記搬送路を挟んで前記第２印刷ヘッドと対向して配置され、前記第２支持部は前記搬送路を挟んで前記第１印刷ヘッドと対向して配置されることを特徴とする両面印刷装置。
【発明の効果】
【０００７】
本発明によれば、より簡易な構成にて記録媒体に両面印刷を行うことが可能となる。
【図面の簡単な説明】
【０００８】
【図１】本発明の一実施の形態に係る両面印刷装置を模式的に示す側面図
【図２】本発明の一実施の形態に係る両面印刷装置の印刷機構の側面図。
【図３】本発明の一実施の形態に係る両面印刷装置が有する第１シリアルヘッド及び第２シリアルヘッドの移動の経過を示す図。
【図４】本発明の一実施の形態に係る両面印刷装置が記録紙に印刷を行う様子を示す図。
【発明を実施するための形態】
【０００９】
以下、本発明を実施するための一形態について図面を用いて説明する。なお、本実施の形態は記録媒体に印刷を行うシリアルヘッドを備えた両面印刷装置に本発明を適用した場合である。
【００１０】
図１は、両面印刷装置の外観を示す図である。両面印刷装置１０は、各機構を収容する筐体１１と、この筐体１１に対して開閉自在に設けられた開閉蓋１２とを備える。
【００１１】
筐体１１内には、記録媒体である記録紙Ｐを巻回したロール紙Ｒを回転自在に支持し、記録紙Ｐを印刷機構３０に搬送する媒体搬送部２０と、媒体搬送部２０から搬送された記録紙Ｐに印刷を行う印刷機構３０が収容されている。
【００１２】
媒体搬送部２０は、媒体保持部２１、搬送路２２、フィード機構２３、ダンパ２４とを備える。媒体保持部２１は、記録紙Ｐを巻回したロール紙Ｒを保持する。フィード機構２３は、媒体保持部２１の下流側に設けられ、記録紙Ｐを搬送路２２に沿って印刷機構３０へ搬送する。フィード機構２３にはダンパ２４が設けられている。ダンパ２４は記録紙Ｐに一定の張力を与える役割を果たしている。なお、図１の矢印Ｆは記録紙の搬送方向を示す。
【００１３】
印刷機構３０は、搬送路２２に沿って設けられた第１面側印刷部３１、第２面側印刷部３２、印刷ヘッド移動部３３とを備える。  
【００１４】
図２を用いて第１面側印刷部３１及び第２面側印刷部３２を説明する。第１面側印刷部３１は、記録紙Ｐの表面Ｐ１側（搬送路２２の第１面側）に配置された第１シリアルヘッド３１１と、この第１シリアルヘッド３１１が取り付けられた状態で搬送路２２の幅方向（記録紙Ｐの搬送方向Ｆと直交する方向）を移動する第１印刷ヘッドキャリア３１２と、第１シャフト（第１支持部）３１３を有する。
【００１５】
第１面側印刷部３１について詳細に説明する。第１シリアルヘッド３１１は記録紙Ｐの表面Ｐ１側（搬送路２２の第１面側）に対して印刷を行う。第１印刷ヘッドキャリア３１２は、後述する印刷ヘッド移動部３３と一体的に取り付けられており、印刷ヘッド移動部３３の移動に付随して搬送路２２の第１面側を移動する。
【００１６】
第１シャフト３１３は、搬送路２２の第１面側の幅方向（記録紙Ｐを搬送する搬送方向Ｆと直交する方向）に延設され、搬送路２２を間に挟んで後述する第２シリアルヘッド３２１と対向して配置される。第２シリアルヘッド３２１が記録紙Ｐの裏面Ｐ２側に印刷する際は、第１シャフト３１３は記録紙Ｐの表面Ｐ１側（搬送路２２の第１面側）を保持し、Ｐ２側への印刷のプラテンの役割を果たす。なお、第１シャフト３１３は凹部形状をした溝を有する。第１印刷ヘッドキャリア３１２は、この第１シャフト３１３の凹部形状をした溝に沿って幅方向を移動する。また、第１シャフト３１３は、この第１シャフト３１３と第２シリアルヘッド３２１とが接触する面に緩衝部材３１４を設けていてもよい。緩衝部材３１４はシリアルヘッドとプラテンとが接触する際の衝撃を緩和することが可能な材料で構成されていればよい。例えば、ウレタンや合成樹脂などが想定される。
【００１７】
ここで、搬送路２２の第１面側に配置される第１シリアルヘッド３１１、第１印刷ヘッドキャリア３１２、第１シャフト３１３の関係について述べる。第１印刷ヘッドキャリア３１２から見て第１シリアルヘッド３１１と第１シャフト３１３は、搬送路２２に近づけて配置される。また、第１シリアルヘッド３１１と第１シャフト３１３とは搬送路の第１面側において平行となるよう構成される。
【００１８】
次に、第２面側印刷部３２は、第２シリアルヘッド３２１と、第２印刷ヘッドキャリア３２２と、第２シャフト（第２支持部）３２３とを備える。
【００１９】
第２シリアルヘッド３２１は、搬送路２２の第２面側に配置され、搬送路２２に沿って搬送される記録紙Ｐの印刷面（裏面Ｐ２）に対して印刷を行う。
【００２０】
第２印刷ヘッドキャリア３２２は印刷ヘッド移動部３３と連結して一体的に設けられる。第２印刷ヘッドキャリア３２２には第２シリアルヘッド３２１が取り付けられている。印刷ヘッド移動部３３が後述する駆動モータ４１からの動力を受けて搬送路２２の幅方向を移動すると、第２シリアルヘッド３２１は印刷ヘッド移動部３３の移動に付随して搬送路２２の第２面を移動する。ここで、第２シリアルヘッド３２１に取り付けられている第２印刷ヘッドキャリア３２２は第２シャフト３２３に形成された凹部の溝に沿って移動する。したがって、第２印刷ヘッドキャリア３２２と一体的に設けられている第２シリアルヘッド３２１は印刷ヘッド移動部３３の移動に付随して搬送路２２の第２面側の幅方向を移動する。
【００２１】
第２シャフト３２３は、媒体保持部２１の下流側であって搬送路２２の第２面側の幅方向（記録紙Ｐを搬送する搬送方向Ｆと直交する方向）に設けられ、搬送路２２を間に挟んで第１シリアルヘッド３１１と対向して配置される。第２シャフト３２３は、第１シリアルヘッド３１１が印刷する際に搬送路２２の第２面側から第１シリアルヘッド３１１に当接する。第２シャフト３２３は、第１シャフト３１３と同様に凹部形状の溝を備える。
【００２２】
また、第２シャフト３２３は、第１シャフト３１３と同様に、印刷の際に第１シリアルヘッド３１１が接触する面に緩衝部材３２４を設けていてもよい。この緩衝部材は例えば、ウレタンや合成樹脂などのシリアルヘッドとプラテンとの接触による衝撃をやわらげるような材料で構成されていればよい。
【００２３】
ここで、搬送路２２の第２面側における第２シリアルヘッド３２１、第２印刷ヘッドキャリア３２２、第２シャフト３２３の配置について述べる。第２印刷ヘッドキャリア３２２から見て第２シリアルヘッド３２１と第２シャフト３２３は、第２印刷ヘッドキャリア３２２よりも搬送路２２に近づけて配置されている。また、第２シリアルヘッド３２１と第２シャフト３２３とは搬送路２２の第２面側において平行となるよう構成される。
【００２４】
なお、図２に示すように第２シリアルヘッド３２１は第１シリアルヘッド３１１よりも距離ｘだけ搬送方向の下流側に位置する。
【００２５】
なお、シリアルヘッドはワイヤードットヘッドやインクジェットヘッド、ピエゾ素子型ヘッド等であってもよい。
【００２６】
次に、図３を用いて印刷ヘッド移動部３３を説明する。印刷ヘッド移動部３３は、第１シリアルヘッド３１１及び第２シリアルヘッド３２１を搬送路２２の幅方向（記録紙Ｐを搬送する搬送方向Ｆと直交する方向）において移動させる。印刷ヘッド移動部３３はフィード機構２３の下流側に配置され、搬送方向Ｆと直交する方向である搬送路２２の第１面側及び第２面側の幅方向に延設される。
【００２７】
印刷ヘッド移動部３３は、搬送路２２の第１面側及び第２面側に一体的に連続して跨った構成をとる。すなわち、印刷ヘッド移動部３３は第１印刷ヘッドキャリア３１２と第２印刷ヘッドキャリア３２２とに掛け渡される。これにより、搬送路２２の第１面側及び第２面側に一体的に連続した構造を取る。例えば、１枚の連続したベルトが搬送路２２の第１面側及び第２面側に跨って構成される。印刷ヘッド移動部３３は各シリアルヘッドを支持することが可能な部材で構成されていればよい。例えば、樹脂素材、皮革等のベルト等が想定されるがこれらに限られるものではない。
【００２８】
駆動機構４０は、駆動源としての駆動モータ４１と、この駆動モータ４１の発生する回転力を印刷ヘッド移動部３３に伝達するギア機構４２とを備えている。ギア機構４２は、印刷機構３０が位置する搬送路２２上の両端に配置され、後述する印刷ヘッド移動部３３が駆動するための動力を伝える役割を果たす。
【００２９】
印刷ヘッド移動部３３の移動は、搬送路２２の幅方向の両端に設けられたギア機構４２により駆動源である駆動モータ４１からの動力が伝えられることにより行われる。
【００３０】
印刷ヘッド移動部３３は、駆動モータ４１からの動力を受けて搬送路２２の幅方向（搬送路２２の第１面側では地点Ｂ１からＢ２、第２面側では地点Ｂ３からＢ４）を移動する。
【００３１】
また、両面印刷装置１０は切断機構５０を備え、切断機構５０は、印刷された記録紙Ｐを切断するカッタ装置５１を備えている。
【００３２】
本実施の両面印刷装置は、第１シリアルヘッド３１１と第２シリアルヘッド３２１を印刷ヘッド移動部３３と一体的に設けることで、１つの駆動モータ４１により各シリアルヘッドを同時に移動させることができる。
【００３３】
次に、第１シリアルヘッド３１１及び第２シリアルヘッド３２１による両面印刷処理について説明する。まず、媒体保持部２１から搬送路２２に沿って記録紙Ｐが給紙される。記録紙Ｐは、フィード機構２３によって印刷機構３０に送られ、第２シリアルヘッド３２１及び第１シャフト３１３が配置される位置まで搬送される。記録紙Ｐが第２シリアルヘッド３２１の位置まで搬送されると、第２シリアルヘッド３２１により記録紙Ｐの裏面Ｐ２に対して文字などの印刷が行われ、また、第１シリアルヘッド３１１により記録紙Ｐの表面Ｐ１に文字等が印刷される。なお、使用するシリアルヘッドがワイヤードットヘッドである場合は、記録紙Ｐと第１シリアルヘッド３１１との間にはインクリボン（図示せず）が介入されている。第１シリアルヘッド３１１が印刷する場合、第２シャフト３２３は記録紙Ｐの裏面Ｐ２を保持する。
【００３４】
また、同様に、使用するシリアルヘッドがワイヤードットヘッドである場合は、記録紙Ｐと第２シリアルヘッド３２１との間にはインクリボン（図示せず）が介入されている。この場合、搬送路２２の第１面側に位置する第１シャフト３１３は記録紙Ｐの表面Ｐ１を支持する。すなわち、第１シャフト３１３は第２シリアルヘッド３２１にて印刷を行う場合、記録紙Ｐの表面Ｐ１を支持することでプラテンの役割を果たすこととなる。
【００３５】
両面印刷装置１０は所定の印刷が終了すると、記録紙Ｐを印刷機構３０から切断機構５０へと紙送りを行い、カッタ装置５１にて印字された記録紙Ｐを切断する。
【００３６】
次に、図３（ａ）、（ｂ）、（ｃ）および図４（ａ）、（ｂ）、（ｃ）を用いて本発明の実施の形態における第１シリアルヘッド３１１及び第２シリアルヘッド３２１の搬送路２２の幅方向における移動及び印刷の様子について説明する。図３（ａ）は、印刷開始時の搬送路２２の幅方向（記録紙Ｐを搬送する搬送方向Ｆと直交する方向）における第１シリアルヘッド３１１、第２シリアルヘッド３２１の位置関係を示した図である。
【００３７】
第１シリアルヘッド３１１は、例えば、印刷開始時に搬送路２２の第１面側の端部Ｂ１に位置する。一方、第２シリアルヘッド３２１は搬送路２２の第２面側の端部Ｂ３に位置する。この場合、第１シリアルヘッド３１１及び第２シリアルヘッド３２１は印刷動作が開始されていないため、記録紙Ｐに印刷は行われない（図４（ａ））。
【００３８】
次に、第１シリアルヘッド３１１及び第２シリアルヘッド３２１が記録紙Ｐの幅方向を移動する様子を図３（ｂ）及び図３（ｃ）を用いて説明する。印刷が開始されると、駆動モータ４１の駆動により搬送路２２の第１面側に位置する印刷ヘッド移動部３３は第１面側Ｐ１の地点Ｂ１から地点Ｂ２の方向に動作する。第１シリアルヘッド３１１は印刷ヘッド移動部３３と一体として設けられているため、印刷ヘッド移動部３３の動作に付随して地点Ｂ１から地点Ｂ２の方向に移動する。第１シリアルヘッド３１１は移動すると共に、記録紙Ｐに対して印刷を行う。この場合の一例として、第１シリアルヘッド３１１は、記録紙Ｐの表面Ｐ１に対して「ａｂｃｄｅｆｇｈ」の印字を行う（図４（ｂ））。
【００３９】
第１シリアルヘッド３１１が地点Ｂ１から地点Ｂ２に移動した場合の第２シリアルヘッド３２１の移動について説明する。印刷ヘッド移動部３３は搬送路２２の第１面側と第２面側に一体的に連続して跨った構成であるため、第１シリアルヘッド３１１は、搬送路２２の第１面側において地点Ｂ１から地点Ｂ２の方向に移動する。このとき、第２シリアルヘッド３２１は搬送路２２の第２面側において地点Ｂ３から地点Ｂ４の方向に移動する。このとき、第２シリアルヘッド３２１は、記録紙Ｐの裏面Ｐ２に対して「ａｂｃｄｅｆｇｈ」の印字を行う（図４（ｂ））。
【００４０】
第１シリアルヘッド３１１、第２シリアルヘッド３２１は印刷ヘッド移動部３３の動作に付随して移動するため、第１シリアルヘッド３１１は搬送路２２の第１面を地点Ｂ１から地点Ｂ２の方向に、第２シリアルヘッド３２１は搬送路２２の第２面を地点Ｂ３から地点Ｂ４の方向に同時に移動する。すなわち、第１シリアルヘッド３１１と第２シリアルヘッド３２１は相対的に異なる方向に移動する。
【００４１】
なお、図２に示すように第１シリアルヘッド３１１と第２シリアルヘッドは用紙搬送方向に対して距離ｘだけ離れて設けられている。このため、図４（ｂ）においては、第２シリアルヘッド３２１が存在する位置に記録紙Ｐが搬送されるまで、第１シリアルヘッド３１１は記録紙Ｐに対して印刷を行わない。このため、図４（ｂ）に示す記録紙Ｐの表面Ｐ１の距離ｘの範囲は印刷されない不印字領域となる。
【００４２】
次に、第１シリアルヘッド３１１は地点Ｂ２に、第２シリアルヘッド３２１は地点Ｂ４にそれぞれ到達すると、印刷ヘッド移動部３３の移動する方向が切り替わる。すなわち、印刷ヘッド移動部３３は第１シリアルヘッド３１１を地点Ｂ２から地点Ｂ１に、第２シリアルヘッド３２１を地点Ｂ４から地点Ｂ３に移動させる方向に移動させる。そして、第１シリアルヘッド３１１は記録紙Ｐの表面Ｐ１に印刷し、第２シリアルヘッド３２１は記録紙Ｐの裏面Ｐ２に対して印刷を行う。第１シリアルヘッド３１１は、「ａｂｃｄｅｆｇｈ」を表面Ｐ１に印刷し、第２シリアルヘッド３２１は、「ａｂｃｄｅｆｇｈ」を裏面Ｐ２に印刷する。（図４（ｃ））。）
【００４３】
このように、印刷ヘッド移動部３３は、搬送路２２の幅方向を往復して移動することにより、印刷ヘッド移動部３３の移動に連動して、第１シリアルヘッド３１１は地点Ｂ１と地点Ｂ２との間を、第２シリアルヘッド３２１は地点Ｂ３と地点Ｂ４との間を往復移動する。
【００４４】
なお、本実施の形態では、図２に示すように第１シリアルヘッド３１１と第2シリアルヘッド３２１とが用紙搬送方向に対して距離ｘだけ離れている。このため、第１シリアルヘッドと第２シリアルヘッド３２１を同時に駆動させる仕様である場合は、記録紙Ｐに対し，第１シリアルヘッド３１１で表面Ｐ１に印刷した印字と第2シリアルヘッドで裏面Ｐ２にそれぞれ印刷した印字とでは用紙搬送方向に対してｘだけずれて印字がなされる。
【００４５】
なお、第１シリアルヘッド３１１及び第２シリアルヘッド３２１は搬送路２２の幅方向の端部にそれぞれ配置されている場合、印字開始時においてそれぞれのシリアルヘッドの不要な移動がなくなるため、第１及び第２のシリアルヘッドを搬送路の端部にそれぞれ配置する構成であることが好適である。
【００４６】
また、本実施の形態では、搬送路２２を挟んで第１シリアルヘッド３１１を第２シャフト３２３に対向配置させ、第２シリアルヘッド３２１を第１シャフト３1３に対向配置させたが、これらの実施形態に限られるものではない。すなわち、搬送路２２の第１面側において、第１シリアルヘッド３１１と第1シャフト３1３とが第１印刷ヘッドキャリア３１２によりも搬送路に近づけて配置される形態であればよい。同様に、搬送路２２の第２面側において、第２シリアルヘッド３２１と第2シャフト３２３とが第２印刷ヘッドキャリア３２２によりも搬送路２２に近づけられて配置される形態であればよい。
【００４７】
かかる場合、記録紙Ｐに印刷するために搬送路２２を挟んで各シリアルヘッドに対向する位置にシリアルヘッドを支持するプラテン部材（図示せず）を設けることを要するが、第１シリアルヘッド３１１と第１シャフト３１３とを搬送路２２の第１面側に、第２シリアルヘッド３２１と第２シャフト３２３を搬送路２２の第２面側にそれぞれを設け、ヘッド移動部３３を移動させて第１シリアルヘッド３１１と第２シリアルヘッド３２１とを幅方向において搬送可能とすることで、従来よりも構造を複雑化させることなく、より簡易な構成にて両面印刷装置を構成することができる。
【００４８】
本実施の形態によれば、搬送路の第１面側において第１シリアルヘッド３１１と第1シャフト３１３とが第１印刷ヘッドキャリア３１２よりも搬送路２２に近づけて設けられ、搬送路２２の第２面側においては、第２シリアルヘッド３２１と第２シャフト３２３とが第２印刷ヘッドキャリア３２２よりも搬送路２２に近づけて設けられている。搬送路２２の第１面側に位置する第１シリアルヘッド３１１と第１シャフト３１３は同一平面に形成されているため、第１シャフト３１３を第２シリアルヘッド３２１のプラテンとして、また、第２シャフト３２３を第１シリアルヘッド３１１のプラテンとして、それぞれ利用することができることから、より簡易な構成にて両面印刷装置を構成できるとともに記録紙Ｐの安定した搬送を実現することが可能となる。
【００４９】
また、印刷ヘッド移動部３３が搬送路２２の第１面側および第２面側に一体的に連続して跨って構成されているため、第１シリアルヘッド３１１は第１面側においてＢ１からＢ２の方向に移動すると第２シリアルヘッド３２１は第２面側においてＢ３からＢ４の方向に相対的に移動することとなる。すなわち、上記の構成とすることで印刷ヘッド移動部３３の移動に連動して第１シリアルヘッド３１１及び第２シリアルヘッド３２１が互いに異なる方向に移動するため、第１シリアルヘッド３１１、第２シリアルヘッド３２１それぞれを１つの駆動源により、搬送路２２の幅方向間において移動させて、両面印刷を行うことが可能となる。これにより、従来の両面印刷装置よりも部品点数を少なくすることができ、より簡易な構成にて組み立てることができる。
【００５０】
また、第１シリアルヘッド３１１と第２シリアルヘッド３２１を搬送路２２の第１面側及び第２面側の幅方向の両端に互いに配置することにより、印字開始前の不要な印刷ヘッド移動部３３の移動をなくすことができ、記録紙Ｐへの印字動作開始を迅速に行うことが可能となる。これにより、従来の両面印字装置に比べて印字速度を向上させることが可能となる。
【００５１】
さらに、搬送路２２を挟んで第１シャフト３１３を第２シリアルヘッド３２３と対向する位置に配置し、搬送路２２を挟んで第２シャフト３２３を第１シリアルヘッド３１１と対向する位置に配置し、これらの第１シャフト３１３及び第２シャフト３２３をプラテンとして用いる構成としたことにより、従来の両面印刷装置に比べ少ない部品点数にて構成することができる。
【００５２】
さらに、印刷を行う際に、シリアルヘッドと当接する第１シャフト３１３、第２シャフト３２３の面に緩衝部材３１４、３２４を設けることで記録紙Ｐを印刷する際の衝撃をやわらげることが可能となる。なお、これらの緩衝部材は第１シャフト３１３または第２シャフト３２３の少なくともいずれか一方に設けたものでもよい。
【００５３】
なお、本発明は本実施の形態に限定されることはなく、その他、本発明の要旨を逸脱しない範囲で種々変形して実施可能であることは勿論である。
【符号の説明】
【００５４】
１１    筐体
２０    媒体搬送部
２１    媒体保持部
２２    搬送路
２３    フィード機構
３１１  第１シリアルヘッド  
３１２  第１印刷ヘッドキャリア
３１３  第１シャフト（第１支持部）  
３２１  第２シリアルヘッド
３２２  第２印刷ヘッドキャリア
３２３  第２シャフト（第２支持部）
３３    印刷ヘッド移動部
４０    駆動機構
４１    駆動モータ
５０    切断機構
【先行技術文献】
【特許文献】
【００５５】
【特許文献１】特開２００１−３０１２３９公報
【図１】
2011161745.tif 000003
【図２】
2011161745.tif 000004
【図３】
2011161745.tif 000005
【図４】
2011161745.tif 000006